(57)【要約】【課題】  粘性の高い流体を確実に撹拌すると共に、スラリー（懸濁液）のような固体−液体溶液で沈降している溶質を効率よく巻き上げることが可能な撹拌機用撹拌子を提供する。【解決手段】  本発明に係る撹拌機用撹拌子１は、回転軸としてのシャフト５０が接続される基部１０と、基部１０の他方の側に設けられる６カ所の羽根部２０と、該他方の側の中心に設けられ、６カ所の羽根部２０を離間させる離間部３０と、を概略具備し、羽根部２０は、離間部３０から基部１０の外周に向かって設けられる向かい合う流路形成面２１ａ及び２１ｂと、基部１０の外周に沿って立設され、隣り合う流路形成面２１ｂ及び２１ａを接続する外周形成面２２と、該隣り合う流路形成面２１ｂ及び２１ａを離間部３０の側で接続する離間部接続面２３と、を備えている。【選択図】図２
2019022879.tif 000002
【特許請求の範囲】
【請求項１】
一方の側の中心に回転軸が接続される基部と、
前記基部の他方の側に設けられる複数の羽根部と、
該他方の側の中心に設けられ、前記羽根部を離接させる離間部と、を具備し、
前記羽根部は、前記離間部から前記基部の外周に向かって設けられ、前記基部の他方の側に立設される２つの流路形成面と、前記基部の外周に沿って立設され、前記２つの流路形成面同士を接続する外周形成面とを備え、
前記外周形成面は、前記基部の外周側から中心側に向かって傾斜して立設されていることを特徴とする撹拌機用撹拌子。
【請求項２】
前記外周形成面は、前記基部の外周側から中心側に向かって傾斜する曲面であることを特徴とする請求項１に記載の撹拌機用撹拌子。
【請求項３】
前記基部は円板上に形成され、該基部の一方の側が被撹拌対象の流体の液表面の側となるように設置されることを特徴とする請求項１又は請求項２に記載の撹拌機用撹拌子。
【請求項４】
向かい合う前記流通路形成面に挟まれた前記基部の他方の側に接続面が設けられ、該接続面は平面又は前記基部の一方の側に向かって凹んだ曲面であることを特徴とする請求項１乃至請求項３のいずれか１項に記載の撹拌機用撹拌子。
【請求項５】
前記接続面は、前記基部の外周側から中心側に向かって凸となる傾斜が設けられていることを特徴とする請求項４に記載の撹拌機用撹拌子。
【請求項６】
前記離間部は、前記基部の外周側から中心側に向かって凸となる離間部傾斜部が設けられていることを特徴とする請求項１乃至請求項５のいずれか１項に記載の撹拌機用撹拌子。
【発明の詳細な説明】
【技術分野】
【０００１】  本発明は、液体その他の各種流体を撹拌し、混合、分散等を行うための撹拌機用撹拌子であって、特に塗料、接着剤やモルタルなどの粘性の高い流体を確実に撹拌するための撹拌機用撹拌子に関する。【０００２】  また、本発明は、スラリー（懸濁液）のような固体−液体溶液で沈降している溶質を効率よく巻き上げることが可能な撹拌機用撹拌子に関する。
【背景技術】
【０００３】  従来、２種類以上の流体を混合したり、流体中に添加した各種粉末等の固体を均一に分散させたりする撹拌では、各種のプロペラ型撹拌羽根、パドル型撹拌羽根やディスクタービン型撹拌羽根などの各種撹拌子を流体中で回転させて行っていた。【０００４】  例えば、特許文献１に開示される撹拌機では、ディスクタービン型撹拌羽根の一種である、回転する円板（ディスク）の径方向外周部に鋭利な鋸歯を持つ歯付きタービン羽根を用いている。【０００５】  この特許文献１のような撹拌機は、流体を収容する容器などに恒常的に設置されて使用されるものの他に、例えば塗料、接着剤やモルタル等を使用直前に現場で撹拌するため、作業者が手に持って使用するハンディー撹拌機もよく使用されている。このハンディー撹拌機は、一般的にハンドドリル型やハンディーミキサー型の駆動装置の駆動軸の先端に歯付きタービン羽根を設けて構成されている。そして、作業者は、駆動装置を手に持ち、先端の歯付きタービン羽根を塗料等の流体（被撹拌物）が収容された容器内に挿入して回転させることで撹拌を行う。【０００６】  また、特許文献２に開示される撹拌装置では、円板の周方向に沿って略等間隔で外周縁から中心近傍に向け複数の切り込みを設け、その切り込みのうち円板の回転方向に対し後ろ側を槽底方向に折り曲げた片羽根のブレードタービン羽根を用いて撹拌を行っている。
【先行技術文献】
【特許文献】
【０００７】
【特許文献１】特開平６−１７０２０１号公報
【特許文献２】特開平８−６６６２６号公報
【発明の概要】
【発明が解決しようとする課題】
【０００８】  しかしながら、この特許文献１の歯付きタービン羽根を作業者が手に持って使用するハンディー撹拌機に取り付けて使用する場合には、鋭利な鋸歯を高速で回転させることから非常に危険であり、取り扱いに注意を要するという課題があった。【０００９】  また、鋸歯を容器にぶつけてしまった場合や歯付きタービン羽根が疲労破壊を起こした場合に、羽根や容器の一部が欠けたり削れたりすることで流体内に混入するコンタミ（コンタミネーション）の課題があった。【００１０】  また、特許文献１の歯付きタービン羽根の板状の歯は、その板面が回転する円板の径方向外周部に面するように配置されているため、円板の径方向への撹拌流（輻流と称す）及び軸方向への撹拌流（軸流と称す）を生じさせることに向いておらず、全体を撹拌するには歯付きタービン羽根を高速回転させなければならない。この結果、歯付きタービン羽根の回転方向への撹拌流（旋回流と称す）が強くなり、大きなボルテックス（水面上の渦巻き）の発生による空気等の泡の混入の課題があった。【００１１】  また、特許文献２の片羽根のブレードタービン羽根による撹拌では、円板の切り込みを折り曲げて形成した片羽根によって円板に隙間ができるため、片羽根による撹拌流が流体の液表面側にも発生する。この結果、液表面の乱れが発生して泡の混入が発生する虞があった。【００１２】  さらに、粘性の高い流体を確実に撹拌するためには、撹拌子の翼端の周速を速くして、高い粘性に抗するように撹拌流の流速を速くすると効果がある。この点において、特許文献２の片羽根のブレードタービン羽根や一般的な撹拌用のブレードタービン羽根では、羽根同士の間隔が円板の外周縁に向かって離れていくため、翼端の周速を効率よく撹拌流の流速に変換することに劣る課題があった。【００１３】  さらには、特許文献２の片羽根のブレードタービン羽根は、流体を収容する容器などに恒常的に設置されて使用されることを前提としているため、流体量の変化により羽根が液面に出てしまう場合や、撹拌の終了後に一旦、流体を容器から抜いて、再度、容器に撹拌対象の流体を入れた場合に羽根の一部（特に容器接地面に水平な面）に空気が残ってしまい、流体内に泡が混入してしまう課題があった。【００１４】  また同様に、特許文献２の片羽根のブレードタービン羽根を作業者が手に持って使用するハンディー撹拌機に取り付けて使用する場合、羽根を流体へ出し入れした際に流体内への泡の混入が起きやすい課題があった。【００１５】  また、撹拌の業界においては、一般に、撹拌機を正回転させた時は被撹拌物を容器底面に向かって押し下げる下降流を発生させることが通常となっている。例えば「撹拌機一筋半世紀  阪和化工機株式会社」のホームページの中に「エアを意図的に巻き込む逆回転攪拌」として「通常，撹拌機の回転軸（シャフト）が回転する方向は時計回りに回転します。この通常の回転を正回転と呼びます。逆回転とは通常とは反対方向，つまり反時計回りに攪拌軸（シャフト）を回転させて行う攪拌のことを指しています。正回転と逆回転の大きな違いは正回転は押し下げた液流発生させ，逆回転は掻き揚げの液流を発生させます。逆回転を用いる目的としては攪拌する液体にエア（空気）を取り入れたい攪拌で行う攪拌技術です。」と説明している。
（参考ＵＲＬ：ｈｔｔｐ：／／ｗｗｗ．ｈａｎｗａ−ｊｐ．ｃｏｍ／ｋａｋｕｈａｎ−ｇｙａｋｕｋａｉｔｅｎ．ｈｔｍｌ）【００１６】  このように、撹拌機の通常使用方法においては、撹拌機を正回転させて被撹拌物（溶質）を容器底面に向かって押し下げる下降流を発生させるため、スラリー（懸濁液）のような固体−液体溶液で沈降している溶質を巻き上げには不向きであった。【００１７】  またさらに、逆回転は掻き揚げの液流を発生させるが、上述の通り、逆回転を用いる目的は撹拌する液体にエアを取り入れるために専ら用いる方法であり、流体内に泡が混入させたくない撹拌には不向きであった。
【課題を解決するための手段】
【００１８】  この発明の目的は、上述した事情に鑑みなされたもので、この発明の主たる目的は、粘性の高い流体を効率よく確実に撹拌することが可能な撹拌機用撹拌子を提供することである。【００１９】  また、この発明の別の目的は、被撹拌物である流体の液面にボルテックス（水面上の渦巻き）ができにくく、波立たない静かな撹拌が可能な撹拌機用撹拌子を提供することである。【００２０】  さらに、この発明の別の目的は、粘性の高い流体において除去の難しい泡の混入を少なくすることが可能な撹拌機用撹拌子を提供することである。【００２１】  またさらに、この発明の別の目的は、容器や槽を傷付けることでのコンタミを防止し、用途を問わずに安全且つ効率的な撹拌を行うことが可能な撹拌機用撹拌子を提供することである。【００２２】  さらにまた、この発明の別の目的は、スラリー（懸濁液）のような固体−液体溶液で沈降している溶質を効率よく巻き上げることが可能な撹拌機用撹拌子を提供することである。【００２３】  上述した課題を解決し、目的を達成するため、この発明に係わる撹拌機用撹拌子は、請求項１の記載によれば、一方の側の中心に回転軸が接続される基部と、前記基部の他方の側に設けられる複数の羽根部と、該他方の側の中心に設けられ、前記羽根部を離接させる離間部と、を具備し、前記羽根部は、前記離間部から前記基部の外周に向かって設けられ、前記基部の他方の側に立設される２つの流路形成面と、前記基部の外周に沿って立設され、前記２つの流路形成面同士を接続する外周形成面とを備え、前記外周形成面は、前記基部の外周側から中心側に向かって傾斜して立設されていることを特徴とする。【００２４】  また、この発明に係わる撹拌機用撹拌子は、請求項２の記載によれば、前記外周形成面は、前記基部の外周側から中心側に向かって傾斜する曲面であることを特徴とする。【００２５】  また、この発明に係わる撹拌機用撹拌子は、請求項３の記載によれば、前記基部は円板上に形成され、該基部の一方の側が被撹拌対象の流体の液表面の側となるように設置されることを特徴とする。【００２６】  また、この発明に係わる撹拌機用撹拌子は、請求項４の記載によれば、向かい合う前記流通路形成面に挟まれた前記基部の他方の側に接続面が設けられ、該接続面は平面又は前記基部の一方の側に向かって凹んだ曲面であることを特徴とする。【００２７】  また、この発明に係わる撹拌機用撹拌子は、請求項５の記載によれば、前記接続面は、前記基部の外周側から中心側に向かって凸となる傾斜が設けられていることを特徴とする。【００２８】  また、この発明に係わる撹拌機用撹拌子は、請求項６の記載によれば、前記離間部は、前記基部の外周側から中心側に向かって凸となる離間部傾斜部が設けられていることを特徴とする。
【発明の効果】
【００２９】  この発明によれば、粘性の高い流体を効率よく確実に撹拌できる撹拌機用撹拌子を提供することが可能となる。【００３０】  また、この発明によれば、被撹拌物である流体の液面にボルテックス（水面上の渦巻き）ができにくく、波立たない静かな撹拌ができる撹拌機用撹拌子を提供することが可能となる。【００３１】  さらに、この発明によれば、粘性の高い流体において除去の難しい泡の混入を少なくできる撹拌機用撹拌子を提供することが可能となる。【００３２】  またさらに、この発明によれば、容器や槽を傷付けることでのコンタミを防止し、用途を問わずに安全且つ効率的な撹拌ができる撹拌機用撹拌子を提供することが可能となる。【００３３】  さらにまた、この発明によれば、スラリー（懸濁液）のような固体−液体溶液で沈降している溶質を効率よく巻き上げることが可能な撹拌機用撹拌子を提供することが可能となる。
【図面の簡単な説明】
【００３４】
【図１】  本発明の撹拌機用撹拌子の第１の実施例を示す上からの斜視図
【図２】  第１の実施例を示す下からの斜視図
【図３】  図１の正面図
【図４】  図１の側面図
【図５】  図１の上面図
【図６】  図１の底面図
【図７】  図３のＡ−Ａ断面図
【図８】  本発明の撹拌機用撹拌子の使用状態参考図
【図９】  第２の実施例を示す下からの斜視図
【図１０】  第３の実施例を示す下からの斜視図
【図１１】  第４の実施例を示す下からの斜視図
【発明を実施するための形態】
【実施例】
【００３５】  ＜第１の実施例＞
図面を用いて本発明の第１の実施例としての撹拌機用撹拌子１の構造について説明する。図１は本発明の撹拌機用撹拌子の第１の実施例を示す上からの斜視図、図２は第１の実施例を示す下からの斜視図、図３は図１の正面図、図４は図１の側面図、図５は図１の上面図、図６は図１の底面図、図７は図３のＡ−Ａ断面図、図８は、この第１の実施例の使用状態参考図となっている。【００３６】  図１乃至図８によれば、撹拌機用撹拌子１は、回転軸としてのシャフト５０が接続されるボス部１１を一方の側に備える基部１０と、基部１０の他方の側に設けられる６カ所の羽根部２０と、該他方の側の中心に設けられ、６カ所の羽根部２０を離間させる離間部３０と、を概略具備している。なお、図１は、第１の実施例の撹拌機用撹拌子１において基部１０の一方の側から見た斜視図で、図２は基部１０の他方の側から見た斜視図となっている。【００３７】  この第１の実施例における基部１０は、円板状に形成され、一方の面にはその中心に回転軸としてのシャフト５０が接続される回転軸接続穴１２を有するボス部１１を備えており、撹拌機５２の作動によって回転するシャフト５０を回転軸として撹拌機用撹拌子１が回転するように構成されている。なお、本実施例において、回転軸接続穴１２へのシャフト５０の接続は嵌め合いとなっているが、これに限定されるものではなく、例えば、回転軸接続穴１２に雌ネジを螺設すると共にシャフト５０の先端部に雄ネジを螺設してねじ込んで接続したり、ボス部１１に雌ネジを螺設した横穴を設けてシャフト５０を横から止めネジ、イモネジやセットスクリューで固定したり、回転軸接続部１２を貫通穴に形成すると共にシャフト先端に雄ネジを設けて複数のナットで基部１０を挟み込んで接続したりする等、既知のいずれの方法であってもよい。【００３８】  なお、基部１０の一方の面は、容器６２内の被撹拌対象の流体６４（被撹拌溶液）の液表面の側となるように設置されている。また、該一方の面及びボス部１１はシャフト５０の回転方向に垂直な面（断面方向）で円形とならない突起物（凸部）や穴（凹部）がなく撹拌機用撹拌子１の液表面の側で旋回流が発生しにくい構成のため、液表面の渦（ボルテックス）が防止されて空気等の気体の巻き込みが防止されたり、液表面の乱れや暴れが防止されて泡立ちが抑制されたりする効果が得られる。【００３９】  また、基部１０の他方の面には、基部１０の回転方向に所定の厚みを有する６カ所の羽根部２０が設けられている。具体的には、基部１０の他方の側に立設され、離間部３０から基部１０の外周に向かって設けられる向かい合う６組の流路形成面２１ａ及び２１ｂと、基部１０の外周に沿って立設され、隣り合う（向かい合っていない）流路形成面２１ｂ及び２１ａを接続する６カ所の外周形成面２２と、該隣り合う流路形成面２１ｂ及び２１ａを離間部３０の側で接続する６カ所の離間部接続面２３とを備えている。【００４０】  なお、本実施例において、羽根部２０は６カ所に設けられるとなっているが、これに限定されるものではなく、例えば、３カ所や５か所のように奇数カ所であっても、また、２カ所や４カ所のように少なくても、さらに８カ所、９カ所のように多くても、後述する本発明の��成や効果が得られるのであれば、何か所でもよい。【００４１】  外周形成面２２は、本実施例においては図１乃至図４に示す通り、基部１０の外周側からシャフト５０の軸方向に垂設された後、離間部３０側となる中心側に向かって凸となるように略球状の曲面で傾斜し、その先端部で離間部接続面２３に接続している。このように、羽根部２０は、外周形成面２２と隣り合う流路形成面２１ｂ及び２１ａと離間部接続面２３の４面で構成されている。【００４２】  また、離間部３０は、６組の流路形成面２１ａ及び２１ｂが基部１０の他方の面の中心で接続しないようにするための空間となっている。【００４３】  このような構成となっている羽根部２０は、図７に示す通り、外周形成面２２の傾斜により基部１０から離れる先端側ほど羽根幅（シャフト５０の断面方向の長さ）が小さくなっている。また、羽根部２０の先端側で発生する被撹拌溶液の移動は、図７の紙面上で下方向にも発生するが、上述の通り、先端側ほど羽根幅が小さくなっているため、比較的小さくなる。【００４４】  本発明の撹拌機用撹拌子１においては、後述するように、被撹拌溶液は基部１０の他方の面に設けられた６組の向かい合う流通路形成面２１ａ、２１ｂにより吐出され、吐出された分の被撹拌溶液が基部１０の他方の面の側の中心である離間部３０とその近傍から吸い上げられる。【００４５】  この離間部３０とその近傍で発生する被撹拌溶液の吸い上げでは、羽根部２０の先端側で発生する被撹拌溶液の移動により乱れが発生するが、上述の通り、その移動は比較的小さいため影響が少なく、結果として被撹拌溶液の吸い上げが効率よく行われる。【００４６】  また、隣り合う流路形成面２１ｂ及び２１ａを接続する６カ所の離間部接続面２３で構成される面により離間部３０は略筒状の空間となる。この離間部接続面２３による略筒状の空間は、離間部接続面２３を有しない場合に比較して、撹拌機用撹拌子１を回転させた時の被撹拌溶液の吸い上げが整った流れとなり効率が高くなることが発明者の試験により確認されている。【００４７】  さらに、６カ所の離間部接続面２３で構成される面は、図２及び図６に示すように、シャフト５０を中心とする同心円上に配置されると共に、離間部接続面２３の各々の面は該同心円の円周に一致、即ち、各々の面をシャフト５０の断面方向で切り取った際に、その切り口が該同心円の円周に重なった出っ張りや引っ込みがない構成となっている。この結果、本発明の撹拌機用撹拌子１を回転させた時に、離間部接続面２３による略筒状の空間には、その内部に凹凸がないので、該空間内では被撹拌溶液が乱れなく移動することになり、被撹拌溶液をより確実に吸い上げることが可能となる。【００４８】  なお、離間部３０を設けない、即ち、基部１０の他方の面の中心で流路形成面２１ａ及び２１ｂを接続した構成とした場合、この接続部分により被撹拌溶液に下向きの移動が発生し、効率的な被撹拌溶液の吸い上げが出来なくなることも発明者の試験により確認されている。【００４９】  このように、本発明の撹拌機用撹拌子１においては、基部１０の外周側からシャフト５０の軸方向に傾斜する外周形成面２２と、所定の幅を有する離間部接続面２３及び隣り合う流路形成��２１ｂ及び２１ａを基部１０の他方の面の中心で接続させない離間部３０とは、被撹拌溶液を容器下方からの効率よく確実に吸い上げるための本発明の重要な構成となっている。【００５０】  また、本発明の撹拌機用撹拌子１において、向かい合う流通路形成面２１ａ、２１ｂに挟まれた基部１０の他方の側には、基部１０の一方の側に向かって凹んだ曲面に形成された６カ所の接続面２４が備えられている。【００５１】  さらに、この第１の実施例においては、この接続面２４は、基部１０の外周側から中心側に向かって凸となるように傾斜を設ける構成としている。また、この傾斜は、離間部３０において基部１０の外周側から中心側に向かって凸となる離間部傾斜部３１に段差なく連続するように構成されている。【００５２】  このように基部１０の外周側から中心側に向かって凸となる傾斜を設けることにより、作業者が手に持って使用する撹拌機を用いて撹拌する場合に、撹拌機用撹拌子を流体６４に頻繁に出し入れしても基部１０の他方の側に空気等の気体が残りにくく、流体６４内への泡の混入の防止が可能となっている。【００５３】  また同様に、流体６４の液量の変化により羽根が液面に出てしまう場合や、撹拌の終了後に一旦、流体６４を容器６２から抜いて、再度、容器６２に流体６４を入れた場合に、基部１０の他方の側に空気等の気体が残りにくく、流体６４内への泡の混入を防止が可能となっている。【００５４】  なお、本実施例において、撹拌機用撹拌子１を構成する材質は、特に限定されるものではなく、例えば金属やセラミックス、樹脂、ゴム、木材等、使用条件に応じた適宜の材質を採用することができる。【００５５】  ここで、改めて、撹拌機用撹拌子１の作動について図８を用いて概略説明する。本発明の撹拌機用撹拌子１は、容器６２の中に入れられた被撹拌溶液である流体６４内において、シャフト５０に駆動されてシャフトの中心軸を中心に回転することにより流体６４を撹拌する。【００５６】  具体的には、撹拌機用撹拌子１は、シャフト５０の一方の側で基部１０を回転させる回転機構としての撹拌機５２に接続され、他方の側で基部１０の一方の面に設けられたボス部１１の回転軸接続部１２に接続され、撹拌機用撹拌子１が槽６２内に収容された流体６４内に浸漬された状態で使用される。【００５７】  なお、本発明で使用される撹拌機５２は、図８の通り、作業者が手に持って使用する撹拌機または図示しない据え付け型の撹拌機で使用される。【００５８】  流体６４中に撹拌機用撹拌子１を浸漬して回転させると、隣り合う羽根部２０において向かい合う流通路形成面２１ａ、２１ｂの間に存在する流体６４が、該向かい合う流通路形成面によって基部１０の外周に向かって吐き出され、該吐き出しに伴い負圧になった離間部３０に流体６４が吸い込まれる。また、撹拌機５２の回転を継続することで、流体６４の撹拌機用撹拌子１の外周から吐き出しと離間部３０への吸い込みが連続し、槽内６２で流体６４の移動が継続することとなる。【００５９】  この流体６４の移動の継続により、撹拌機用撹拌子１の周囲には、撹拌機用撹拌子１の外周から放射状に広がる流動と、離接空間部３０に向かう吸い上げの流動が継続し、流体６４全体が撹拌されることとなる。【００６０】  また、槽６２の槽底に滞留している滞留物を分散させる場合には、撹拌機用撹拌子１の先端部を層底に近づければよい。このようにすることで、吸入口１２から滞留物を吸い上げて吐出口１４から噴出し、滞留物を槽６２内に十分に分散させることができる。【００６１】  なお、本発明の撹拌機用撹拌子１では、流通路形成面２１ａ、２１ｂは基部１０の他方の側に垂設されると共に、向かい合う流通路形成面２１ａ、２１ｂは平行となっている、即ち、特許文献２の片羽根のブレードタービン羽根のように外周になるほど羽根の間の間隔が広くなっていないため、流通路形成面２１ａ、２１ｂから吐き出される流体６４の吐出流は整った流れに成り易く、流体６４の粘度が高くても遠くまで吐出流を到達させることが可能となり、流体６４を効率よく確実に撹拌するのに有利となっている。【００６２】  また、本発明の撹拌機用撹拌子１では、羽根部の流通路形成面が流体６４に対して露出している、即ち特開２０１１−５３４９号公報に開示の撹拌体と比して流体６４を掻き混ぜるたり練り混ぜたりするのに必要なせん断力を付与する構成を有しているため、粘性の高い流体の撹拌に適している。【００６３】  さらに、本発明の撹拌機用撹拌子１では、羽根部は板状でなく柱状であるため、粘性の高い流体に対する耐久性が高く、掻き混ぜや練り混ぜが容易となっている。【００６４】  またさらに、本実施例の撹拌機用撹拌子１は６カ所の離間部接続面２３を備えることにより、撹拌時の被撹拌溶液の羽根部の裏側への回り込み（具体的には、図１の状態の撹拌機用撹拌子１を図面上で時計方向に回転させた場合の流通路形成面２１ａ側から流通路形成面２１ｂ側への回り込み）を、板状の羽根と比して少なくすることが可能である。この結果、羽根の回転方向裏側（後ろ側）での負圧が起こりにくく、高速回転が有効な高粘度の被撹拌溶液での羽根の裏側や被撹拌溶液の負圧が大きくなる離間部３０内でのキャビテーションを抑えることが可能となり、泡立ち防止の効果が見込まれる。【００６５】  さらにまた、本実施例における撹拌機用撹拌子１は、隣り合う羽根部において向かい合う流通路形成面に挟まれた基部１０の他方の側で接続する接続面が基部１０の一方の側に向かって凹んだ曲面に形成されていることと、該曲面が特開２０１１−５３４９号公報に開示の撹拌体とは異なり露出しているので、流体（特に粘性の高い流体）が残りにくく撹拌後の洗浄が容易となっている。【００６６】  また、本実施例における撹拌機用撹拌子１は、接続面２４を接続面基部１０の外周側から中心側に向かって凸となる傾斜させる構成としていることにより、基部１０の他方の側に空気等の気体が残りにくく、被撹拌溶液内への泡の混入を確実に防止することが可能である。【００６７】  さらに、本発明の撹拌機用撹拌体１は、基部１０の外周から羽根部が突出していないので、液表面の渦の防止、液表面の乱れや暴れの抑制が可能であると共に、図７のような作業者が手に持って使用する撹拌機では、作業中に槽６２の槽壁にぶつけてしまった場合においても容器や槽を傷付けることが少なく、用途を問わずに安全且つ効率的な撹拌が可能である。【００６８】  またさらに、本発明の撹拌機用撹拌体１は、基部１０の外周側からシャフト５０の軸方向に傾斜する外周形成面２２、所定の幅を有する離間部接続面２３及び隣り合う流路形成面２１ｂ及び２１ａを基部１０の他方の面の中心で接続させない離間部３０により、被撹拌溶液を容器下方からの効率よく確実に吸い上げられるため、被撹拌溶液だけでなく、スラリー（懸濁液）のような固体−液体溶液で沈降している溶質も効率よく巻き上げることが可能である。【００６９】  以上、詳細に説明した通り、本発明の撹拌機用撹拌子１は、液表面の渦防止と泡立ち抑制が可能であり、粘性の高い流体において除去の難しい泡の混入を可能な限り排除することができる。【００７０】  また、本発明の撹拌機用撹拌子１は、粘性の高い流体の掻き混ぜや練り混ぜも可能であり、粘性の高い流体に限らず各種の流体を効率よく確実に撹拌することができる。【００７１】  さらに、本発明の撹拌機用撹拌子１は、槽壁に衝突しても槽の破片や削りカス等が発生しにくく、槽壁保護とコンタミ防止が可能であると共に、安全且つ効率的な撹拌を行うことができる。【００７２】  またさらに、本発明の撹拌機用撹拌体１は、被撹拌溶液のみならず、スラリー（懸濁液）のような固体−液体溶液で沈降している溶質も効率よく巻き上げることが可能であり、固体−液体溶液の均一撹拌を行うことができる。【００７３】  ＜第２の実施例＞
図面を用いて第２の実施例としての撹拌用回転体１について説明する。図９は第２の実施例を示す斜視図で基部１０の一方の側から見た図となっている。なお、第１の実施例と構成が同じ箇所には同じ符号を付して説明を省略する。【００７４】  図２によれば、撹拌機用撹拌子１は、撹拌機用撹拌子１は、一方の側の中心に回転軸としてのシャフト５０が接続される基部１０と、基部１０の他方の側に設けられる６カ所の羽根部２０と、該他方の側の中心に設けられ、６カ所の羽根部２０を離間させる離間部３０と、を概略具備している。なお、この第２の実施例での接続面２４は平面となっている。【００７５】  この第２の実施例において、外周形成面２２は、基部１０の外周側から中心側に向かって傾斜して立設され、その先端側には外周形成面２２と隣り合う流路形成面２１ｂ及び２１ａとを接続し、外周形成面２２の一部を構成する先端面２５が設けられた構成となっている。【００７６】  この外周形成面２２の傾斜により、基部１０から離れる先端側ほど羽根幅が小さくなっているため、羽根部２０の先端側で発生する被撹拌溶液の移動により乱れは比較的小さいため影響が少なく、結果として離間部３０とその近傍で発生する被撹拌溶液の吸い上げを効率よく行うことが可能となっている。【００７７】  また、この第２の実施例の撹拌機用撹拌体１は、基部１０の外周から羽根部が突出していないので、槽壁に衝突しても槽の破片や削りカス等が発生しにくく、槽壁保護とコンタミ防止が可能であると共に、安全且つ効率的な撹拌を行うことができる。【００７８】  ＜第３の実施例＞
図面を用いて第３の実施例としての撹拌用回転体１について説明する。図１０は第３の実施例を示す斜視図で基部１０の一方の側から見た図となっている。なお、第１及び第２の実施例と構成が同じ箇所には同じ符号を付して説明を省略する。【００７９】  図１０によれば、撹拌機用撹拌子１は、一方の側の中心に回転軸としてのシャフト５０が接続される基部１０と、基部１０の他方の側に設けられる６カ所の羽根部２０と、該他方の側の中心に設けられ、６カ所の羽根部２０を離接させる離接空間部３０と、を概略具備している。【００８０】  この第３の実施例において、外周形成面２２は、基部１０の外周側からシャフト５０の軸方向に垂設され、その先端側には外周形成面２２と隣り合う流路形成面２１ｂ及び２１ａと離間部接続面２３とを接続し、外周形成面２２の一部を構成する先端面２５が中心に向かって凸となるように傾斜して設けられた構成となっている。【００８１】  この外周形成面２２の一部を構成する先端面２４の傾斜により、基部１０から離れる先端側ほど羽根幅が小さくなっているため、羽根部２０の先端側で発生する被撹拌溶液の移動により乱れは比較的小さいため影響が少なく、結果として離間部３０とその近傍で発生する被撹拌溶液の吸い上げを効率よく行うことが可能となっている。【００８２】  ＜第４の実施例＞
図面を用いて第４の実施例としての撹拌用回転体１について説明する。図１１は第４の実施例を示す斜視図で基部１０の一方の側から見た図となっている。なお、第１乃至第３の実施例と構成が同じ箇所には同じ符号を付して説明を省略する。【００８３】  図１１によれば、撹拌機用撹拌子１は、一方の側の中心に回転軸としてのシャフト５０が接続される基部１０と、基部１０の他方の側に設けられる６カ所の羽根部２０と、該他方の側の中心に設けられ、６カ所の羽根部２０を離接させる離接空間部３０と、を概略具備している。【００８４】  この第４の実施例において、外周形成面２２は、基部１０の外周側からシャフト５０の軸方向に垂設され、その先端側には外周形成面２２と隣り合う流路形成面２１ｂ及び２１ａと離間部接続面２３とを接続し、外周形成面２２の一部を構成する先端面２５が中心に向かって凸となるように傾斜して設けられた構成となっている。【００８５】  この外周形成面２２の一部を構成する先端面２５の傾斜により、基部１０から離れる先端側ほど羽根幅が小さくなっているため、羽根部２０の先端側で発生する被撹拌溶液の移動により乱れは比較的小さいため影響が少ない。結果として離間部３０とその近傍で発生する被撹拌溶液の吸い上げを効率よく行うことで、被撹拌溶液だけでなく、スラリー（懸濁液）のような固体−液体溶液で沈降している溶質も効率よく巻き上げることが可能である。【００８６】  また、第４の実施例において、６カ所の離間部接続面２３で構成される面は、シャフト５０を中心とする同心円上に配置されると共に、離間部接続面２３の各々の面は該同心円の円周に一致、即ち、各々の面をシャフト５０の断面方向で切り取った際に、その切り口が該同心円の円周に重なった出っ張りや引っ込みがない構成となっている。この結果、この第４の実施例の撹拌機用撹拌子１を回転させた時に、離間部接続面２３による略筒状の空間には、その内部に凹凸がないので、該空間内では被撹拌溶液が乱れなく移動することになり、被撹拌溶液をより確実に吸い上げることが可能となる。【００８７】  このように、この第４の実施例の撹拌機用撹拌子１においては、基部１０の外周側からシャフト５０の軸方向に傾斜する外周形成面２２の一部を構成する先端面２５と所定の幅を有する離間部接続面２３及び隣り合う流路形成面２１ｂ及び２１ａを基部１０の他方の面の中心で接続させない離間部３０とは、被撹拌溶液を容器下方からの効率よく確実に吸い上げるための重要な構成となっている。【００８８】  さらに、この第４の実施例の撹拌機用撹拌子１では、流通路形成面２１ａ、２１ｂは基部１０の他方の側に垂設されると共に、隣り合う流通路形成面２１ｂ、２１ａが平行となる構成となっている。このような隣り合う流通路形成面２１ｂ、２１ａが平行となる構成では、向かい合う流通路形成面２１ａ、２１ｂが基部１０の外周の側に向かうほど間隔が広がるため撹拌力を向上させるのに有効である。【００８９】  またさらに、この第４の実施例の撹拌機用撹拌子１では、羽根部は板状でなく柱状であるため、粘性の高い流体に対する耐久性が高く、掻き混ぜや練り混ぜが容易となっている。【００９０】  さらにまた、この第４の実施例の撹拌機用撹拌��１は６カ所の離間部接続面２３を備えることにより、撹拌時の被撹拌溶液の羽根部の裏側への回り込み（具体的には、図１１の状態の撹拌機用撹拌子１を図面上で時計方向に回転させた場合の流通路形成面２１ｂ側から流通路形成面２１ａ側への回り込み）を、板状の羽根と比して少なくすることが可能である。この結果、羽根の回転方向裏側（後ろ側）での負圧が起こりにくく、高速回転が有効な高粘度の被撹拌溶液での羽根の裏側や被撹拌溶液の負圧が大きくなる離間部３０内でのキャビテーションを押さえることが可能となり、泡立ち防止の効果が見込まれる。【００９１】  以上の通り、この第４の実施例の撹拌機用撹拌子１は、第１の実施例と同様に、液表面の渦防止と泡立ち抑制が可能であり、粘性の高い流体において除去の難しい泡の混入を可能な限り排除することができる。【００９２】  また、この第４の実施例の撹拌機用撹拌子１は、粘性の高い流体の掻き混ぜや練り混ぜも可能であり、粘性の高い流体に限らず各種の流体を効率よく確実に撹拌することができる。【００９３】  さらに、この第４の実施例の撹拌機用撹拌子１は、第１の実施例と同様に、槽壁に衝突しても槽の破片や削りカス等が発生しにくく、槽壁保護とコンタミ防止が可能であると共に、安全且つ効率的な撹拌を行うことができる。【００９４】  またさらに、この第４の実施例の撹拌機用撹拌子１は、被撹拌溶液のみならず、スラリーのような固体−液体溶液で沈降している溶質も効率よく巻き上げることが可能であり、固体−液体溶液の均一撹拌を行うことができる。【００９５】  以上、本実施形態について説明したが、本発明の撹拌機用撹拌子１は、上記した実施の形態に限定されるものではなく、本発明の要旨を逸脱しない範囲内において種々変更を加え得ることは勿論である。
【符号の説明】
【００９６】１・・撹拌機用撹拌子、１０・・基部、１１・・ボス部、１２・・回転軸接続穴、２０・・羽根部、２１ａ、２１ｂ・・流路形成面、２２・・外周形成面、２３・・離間部接続面、２４・・接続面、２５・・先端面、３０・・離間部、３１・・離間部傾斜部、５０・・シャフト、５２・・撹拌機、６２・・容器、６４・・流体
【図１】
2019022879.tif 000003
【図２】
2019022879.tif 000004
【図３】
2019022879.tif 000005
【図４】
2019022879.tif 000006
【図５】
2019022879.tif 000007
【図６】
2019022879.tif 000008
【図７】
2019022879.tif 000009
【図８】
2019022879.tif 000010
【図９】
2019022879.tif 000011
【図１０】
2019022879.tif 000012
【図１１】
2019022879.tif 000013